(57)【特許請求の範囲】
【請求項１】
基材の少なくとも一部に潜像模様領域を有し、
前記基材の一方の面の前記潜像模様領域に、前記基材よりも透過率の高い第２の要素が万線状に配列されて第２の要素群が形成され、
前記第２の要素群の上又は前記基材の他方の面の前記潜像模様領域に、有色のインキにより第１の要素群が形成され、
前記第１の要素群は、第１の色及び前記第１の色とは異なる第２の色から成る第１の要素が万線状に配列されて成り、
前記第１の要素は、前記第１の色によって模様部又は背景部のいずれか一方が形成され、前記第２の色によって模様部又は背景部の他方が形成された第１ａの要素と、前記第１ａの要素において模様部を形成した前記第１の色又は前記第２の色のいずれか一方で前記背景部を形成し、前記背景部を形成した前記第１の色又は前記第２の色の他方で模様部を形成する第１ｂの要素から成り、
前記第１ａの要素と前記第１ｂの要素が一対となって対応した配置により第１の要素セットが形成され、
前記第１ａの要素又は前記第１ｂの要素のどちらか一方と前記第２の要素が前記基材の一方の面又は前記基材を挟んで同じ位置に配置され、
前記第１の要素群が形成されている前記基材の面を反射光下で視認すると、前記第１の色と前記第２の色により形成されている前記第１の要素群が反射模様として確認され、前記基材を透過光下で視認すると、前記第２の要素と同じ位置に配置された前記第１の要素群における前記模様部及び前記背景部から成る透過潜像模様が形成されていることを特徴とする透過潜像模様形成体。
【請求項２】
前記第１の色及び前記第２の色は、前記基材の色とは異なる色であることを特徴とする請求項１記載の透過潜像模様形成体。
【請求項３】
前記第１の要素セットにおいて、前記第１の色及び前記第２の色が対応して配置された前記第１ａの要素及び第１ｂの要素は、前記第１の色と前記第２の色の境界が同じ位置であり、かつ、前記第１の色と前記第２の色の配置が逆であることを特徴とする請求項１又は２記載の透過潜像模様形成体。
【請求項４】
前記第１の要素群において、複数の前記第１の要素セットは、前記第１ａの要素及び前記第１ｂの要素が交互に配列されていることを特徴とする請求項１乃至３のいずれか１項に記載の透過潜像模様形成体。
【請求項５】
前記第１の要素群は、前記第１ａの要素及び前記第１ｂの要素が第１のピッチで配置され、
前記第２の要素群は、前記第２の要素が第２のピッチで配置され、
前記第２のピッチは、前記第１の要素セットのピッチと等しく、かつ、前記第２の要素の要素幅は、前記第１のピッチ以下であることを特徴とする請求項１乃至４のいずれか１項に記載の透過潜像模様形成体。
【請求項６】
前記第１の要素群は、前記第１の要素の要素幅が５０〜５００μｍの範囲、かつ、前記第１のピッチが１００〜１０００μｍの範囲で形成され、
前記第２の要素群は、前記第２の要素の要素幅が５０〜５００μｍの範囲、かつ、前記第２のピッチが１００〜１０００μｍの範囲で形成されていることを特徴とする請求項１乃至５のいずれか１項に記載の透過潜像模様形成体。
【請求項７】
前記第１の要素群は、前記第１の要素が第１の方向に万線状に配列され、
前記第２の要素群は、前記第２の要素が第２の方向に万線状に配列され、
前記第１の方向及び前記第２の方向が等しい又は異なることを特徴とする請求項１乃至６のいずれか１項に記載の透過潜像模様形成体。
【請求項８】
前記第１の方向及び前記第２の方向の異なる角度は、０〜±５°以下の範囲であることを特徴とする請求項７記載の透過潜像模様形成体。
【請求項９】
前記第１の要素群及び前記第２の要素群は、各々を構成している各要素がすべて直線状、かつ、平行に配列されていることを特徴とする請求項１乃至８のいずれか１項に記載の透過潜像模様形成体。
【請求項１０】
前記第１の要素群及び前記第２の要素群は、円、楕円又は多角形の同一形状を成していることを特徴とする請求項１乃至８のいずれか１項に記載の透過潜像模様形成体。
【請求項１１】
前記第１の要素及び前記第２の要素が、画線又は微小要素群の少なくとも一つ、又はそれぞれの組み合わせから成ることを特徴とする請求項１乃至１０のいずれか１項に記載の透過潜像模様形成体。
【請求項１２】
前記第２の要素が、すき入れ、レーザ加工、エンボス加工又は透明材料を印刷することによって前記基材よりも透過率を高く形成されることを特徴とする請求項１乃至１１のいずれか１項に記載の透過潜像模様形成体。
【請求項１３】
前記基材は、不透明度が９０％より高いことを特徴とする請求項１乃至１２のいずれか１項に記載の透過潜像模様形成体。
【発明の詳細な説明】
【技術分野】
【０００１】
本発明は、銀行券、旅券、有価証券、商品券及び各種証明書等に偽造及び複製の防止用として潜像画像を施した透過潜像模様形成体に関するものである。
【背景技術】
【０００２】
銀行券、旅券、有価証券、商品券及び各種証明書等の貴重印刷物には、偽造、変造及び複写防止のために、様々な偽造防止技術が付与されている。その中でも、潜像画像を形成する技術は、多種多様に提案されている。例えば、凹版印刷、グラビア印刷又はスクリーン印刷等、基材に対して凸状の画線が形成可能な印刷方式を用いて万線を形成し、背景部となる万線と潜像部となる万線の配列方向を異ならせて、基材を傾かせることにより潜像模様を出現させる技術がある。
【０００３】
また、印刷物単体では、単純な万線模様又は格子模様にしか見えないが、所定の規則を持った判別具を重ねると、潜像模様が出現する隠しパターンの技術等がある。
【０００４】
さらに、基材の表裏に印刷模様を形成し、互いに一方の面では有意味情報（模様）とはならないが、基材を光に透かして視認すると、表裏それぞれの模様が合成されて有意味な情報として確認することができるという表裏合成模様がある。
【０００５】
この表裏合成模様について、本出願人は、光を透過する基材の一方の面に、シアン、マゼンタ及びイエローの３色による万線模様を印刷し、その万線模様と同じ位置となる基材の他方の面に、シアン、マゼンタ及びイエローの３色の万線の一部を万線に対して垂直方向に若干ずらして印刷することで、印刷物を光に透かして視認すると、一方の面の平行な万線と他方の面にずらして形成された万線との交点の濃度が他の部分とは異なり、所望する模様を形成して確認することができる表裏模様合成印刷物を開示している（例えば、特許文献１参照）。    
【０００６】
また、透明なセンター基材シートの表裏面の一部領域又は全域に、同一形状の万線を見当が合った状態で形成された媒体であって、表裏どちらか一方の面に形成された万線は、潜像部と非潜像部とでなり、もう一方の面に形成された万線は、非潜像部と潜像部とでなり、すべての万線が平行に形成され、非潜像部を形成する万線は、潜像部を形成する万線に対し１／２ピッチずれた万線から成り、表裏面の潜像部は、表裏同一位置とならないように配置されており、表裏どちらか一方の面に形成された万線を覆うように、該万線及びもう一方の面に形成された万線を引き立たせる背景色で成るべタ印刷層が施されていることを特徴とする像変化機能を有する媒体が開示されている（例えば、特許文献２参照）。
【０００７】
この特許文献２の媒体は、表裏どちらか一方の面に形成された万線が、潜像部と非潜像部から成っているので、表裏いずれかから見ると、一方の面に形成された潜像部と非潜像部で成る万線と、もう一方の面に形成された万線が合成され、視角を変えて視認することにより、その潜像部が非潜像部から浮かび上がったように顕像化されるものである。
【先行技術文献】
【特許文献】
【０００８】
【特許文献１】特許第３３６２１７１号公報
【特許文献２】特許第４０１６７０７号公報
【発明の開示】
【発明が解決しようとする課題】
【０００９】
しかしながら、特許文献１により開示されている表裏模様合成印刷物は、潜像画像として出現させたい画像を、原画像をもとに表裏の万線の交点等により出現する濃淡によって形成するため、その交点等に対応する位置となるように、万線をずらして形成する位置の設計には、高度な技術を要するとともに、表裏の万線模様の高い見当精度が要求されるため、偽造及び複製防止技術としては有効であるが、製造過程において困難性を要するという課題が残されていた。
【００１０】
また、特許文献２により開示されている像変化機能を有する媒体は、表裏に印刷された万線のうち、一方の万線において一部の万線のピッチをずらすことで、潜像画像を形成するものであるため、比較的単調な画像しか形成できず、その構成がわかってしまうと、容易に偽造されてしまうという問題があった。
【００１１】
さらに、特許文献２により開示されている像変化機能を有する媒体は、潜像部と非潜像部とのピッチの規則性が重要であり、表裏の見当が合わないと鮮明な像の出現ができないため、表裏の高い見当精度を必要とするという課題があった。
【００１２】
本発明は、このような従来の問題を解決することを目的としたもので、透過性の基材、特に、紙基材の一方の面に対して、基材よりも透過率の高い要素を万線状に配列し、その万線状の要素と見当が合う同じ一方の面の箇所又は他方の面の箇所に、基材とは異なる二色のインキを用いて万線状に要素を配列し、二色の一方のインキにより模様部を形成し、他方のインキにより背景部を形成し、一方の面側から反射光下で視認すると、二色の色が混色した一様の模様として確認することができ、透過光下で視認すると、模様部及び背景部により構成された透過潜像模様を確認することができる透過潜像模様形成体を提案することを目的とする。
【課題を解決するための手段】
【００１３】
本発明の透過潜像模様形成体は、基材の少なくとも一部に潜像模様領域を有し、基材の一方の面の潜像模様領域に、基材よりも透過率の高い第２の要素が万線状に配列されて第２の要素群が形成され、第２の要素群の上又は基材の他方の面の潜像模様領域に、有色のインキにより第１の要素群が形成され、第１の要素群は、第１の色及び第１の色とは異なる第２の色から成る第１の要素が万線状に配列されて成り、第１の要素は、第１の色によって模様部又は背景部のいずれか一方が形成され、第２の色によって模様部又は背景部の他方が形成された第１ａの要素と、第１ａの要素において模様部を形成した第１の色又は第２の色のいずれか一方で背景部を形成し、背景部を形成した第１の色又は第２の色の他方で模様部を形成する第１ｂの要素から成り、第１ａの要素と第１ｂの要素が一対となって対応した配置により第１の要素セットが形成され、第１ａの要素又は第１ｂの要素のどちらか一方と第２の要素が基材の一方の面又は基材を挟んで同じ位置に配置され、第１の要素群が形成されている基材の面を反射光下で視認すると、第１の色と第２の色により形成されている第１の要素群が反射模様として確認され、基材を透過光下で視認すると、第２の要素と同じ位置に配置された第１の要素群における模様部及び背景部から成る透過潜像模様が形成されていることを特徴とする透過潜像模様形成体である。
【００１４】
また、本発明の透過潜像模様形成体は、第１の色及び第２の色が、基材の色とは異なる色であることを特徴とする。
【００１５】
また、本発明の透過潜像模様形成体は、第１の要素セットにおいて、第１の色及び第２の色が対応して配置された第１ａの要素及び第１ｂの要素は、第１の色と第２の色の境界が同じ位置であり、かつ、第１の色と第２の色の配置が逆であることを特徴とする。
【００１６】
また、本発明の透過潜像模様形成体における第１の要素群は、複数の第１の要素セットにおいて、第１ａの要素及び第１ｂの要素が交互に配列されていることを特徴とする。
【００１７】
また、本発明の透過潜像模様形成体における第１の要素群は、第１ａの要素及び第１ｂの要素が第１のピッチで配置され、第２の要素群は、第２の要素が第２のピッチで配置され、第２のピッチは、第１の要素セットのピッチと等しく、かつ、第２の要素の要素幅は、第１のピッチ以下であることを特徴とする。
【００１８】
また、本発明の透過潜像模様形成体における第１の要素群は、第１の要素の要素幅が５０〜５００μｍの範囲、かつ、第１のピッチが１００〜１０００μｍの範囲で形成され、第２の要素群は、第２の要素の要素幅が５０〜５００μｍの範囲、かつ、第２のピッチが１００〜１０００μｍの範囲で形成されていることを特徴とする。
【００１９】
また、本発明の透過潜像模様形成体における第１の要素群は、第１の要素が第１の方向に万線状に配列され、第２の要素群は、第２の要素が第２の方向に万線状に配列され、第１の方向及び第２の方向が等しい又は異なることを特徴とする。
【００２０】
また、本発明の透過潜像模様形成体は、第１の方向及び第２の方向の異なる角度が、０〜±５°以下の範囲であることを特徴とする。
【００２１】
また、本発明の透過潜像模様形成体は、第１の要素群及び第２の要素群が、各々を構成している各要素がすべて直線状、かつ、平行に配列されていることを特徴とする。
【００２２】
本発明の透過潜像模様形成体は、第１の要素群及び第２の要素群が、円、楕円又は多角形の同一形状を成していることを特徴とする。
【００２３】
本発明の透過潜像模様形成体は、第１の要素及び第２の要素が、画線又は微小要素群の少なくとも一つ、又はそれぞれの組み合わせから成ることを特徴とする。
【００２４】
本発明の透過潜像模様形成体は、第２の要素が、すき入れ、レーザ加工、エンボス加工又は透明材料を印刷することによって基材よりも透過率を高く形成されることを特徴とする。
【００２５】
本発明の透過潜像模様形成体は、基材の不透明度が９０％より高いことを特徴とする。
【発明の効果】
【００２６】
本発明の透過潜像模様形成体は、二色のインキを用いて万線状に要素を印刷した側から反射光下で視認しても、単なる要素が万線状に配列されている模様又は二色が混色した一様のカラー模様にしか見えないが、透過光下で視認すると、基材よりも透過率の高い万線状に配列された要素を介して、透過潜像模様を確認することができる。
【００２７】
また、本発明の透過潜像模様形成体は、従来の表裏合成模様のように、表裏に模様を印刷するものではなく、一つの要素は基材自体に加工を施すため、印刷技術だけで偽造することはできず、優れた偽造防止効果を奏する。
【００２８】
また、本発明の透過潜像模様形成体は、二色のインキを用いて模様部と背景部を構成しているため、透過光下で確認することができる透過潜像模様は、色彩感溢れるカラー模様となる。
【００２９】
また、本発明の透過潜像模様形成体は、二色のインキを用いて形成する万線状の要素が近接した位置に配置され、その中で隣り合う二つの要素同士の色の配置が逆になったセット状態となっているため、反射光下における肉眼では、混色した状態で視認され、透過潜像模様を視認することができない。
【００３０】
さらに、前述のとおり、二色のインキを用いて形成する万線状の要素が、隣り合う要素同士を一つのセットとして形成しているため、セットのうちのどちらか一方が基材よりも透過率の高い万線状の要素と見当が合うこととなり、透過潜像模様を出現させることが可能となり、高度な見当精度を必要としないで製造することが可能である。
【図面の簡単な説明】
【００３１】
【図１】本発明の透過潜像模様形成体の一例を示す図である。
【図２】形成体における潜像模様領域を、反射光下により観察したときの状態を示す図である。
【図３】形成体における潜像模様領域を、透過光下により観察したときの状態を示す図である。
【図４】透過潜像模様を構成する第１の要素及び第２の要素を示す図である。
【図５】第１の要素群を構成する第１の要素セットを示す図である。
【図６】第１の要素を形成する種々の形状を示す図である。
【図７】第１の要素が微小要素により形成されている場合を説明する図である。
【図８】第１の要素の形成状態を示す図である。
【図９】第１の要素セットに対する透過潜像模様の形成状態を示す図である。
【図１０】第１の要素群における第１の要素セットの配置状態を示す図である。
【図１１】第２の要素を説明するための図である。
【図１２】第１の要素群と第２の要素群との位置関係を示す図である。
【図１３】第１の要素セットにおける第１ａの要素と第２の要素との位置関係による透過潜像模様の形成状態を示す図である。
【図１４】第１の要素のピッチと第２の要素の要素幅の関係を示す図である。
【図１５】第１の要素セットにおける第１ｂの要素と第２の要素との位置関係による透過潜像模様の形成状態を示す図である。
【図１６】第１の要素群における第１の方向及び第２の要素群における第２の方向を説明する図である。
【図１７】第１の方向と第２の方向が異なる角度で配置された第１の要素群と第２の要素群を示す図である。
【図１８】第１の要素群及び第２の要素群の形状の変形例を示す図である。
【図１９】変形例において第１の方向と第２の方向が異なる角度で配置された第１の要素群と第２の要素群を示す図である。
【図２０】変形例における反射模様及び透過潜像模様を示す図である。
【図２１】実施例３における第１の要素群及び第２の要素群を説明する図である。
【図２２】実施例３における反射模様及び透過潜像模様を示す図である。
【発明を実施するための形態】
【００３２】
本発明を実施するための形態について、図面を用いて説明する。しかしながら、本発明は、以下に述べる実施するための形態に限定されるものではなく、特許請求の範囲記載における技術的思想の範囲内であれば、その他いろいろな実施の形態が含まれる。
【００３３】
図１は、本発明における透過潜像模様形成体（１）（以下、「形成体」という。）の一例を示す図である。この形成体（１）は、図１に示すように、基材（２）上の少なくとも一部に本発明における透過潜像模様が形成されている潜像模様領域（３）を有している。なお、図１に示すように、潜像模様領域（３）以外の領域には、料額、文字又は他の模様等の必要な情報が公知の印刷方式（例えば、オフセット印刷又は凹版印刷等）により施されていても良い。
【００３４】
本発明における基材（２）は、上質紙、コート紙又はアート紙等の紙葉類並びにフィルム又はプラスチック等を用いることができる。ただし、本発明の特徴点である透過潜像模様を透過光下で視認する際のコントラストを得るために、不透明度が９０％より大きい材質の基材を用いることが好ましい。この不透明度については、潜像模様領域（３）に形成される第２の要素を説明するところで詳細に説明する。
【００３５】
図２及び図３は、形成体（１）における潜像模様領域（３）を、所定の条件により観察したときの状態を示す図である。本発明における形成体（１）は、詳細については後述するが、基材（２）の一方の面に、基材（２）よりも透過率の高い第２の要素群（１４）が形成されており、その第２の要素群（１４）の上、又は、第２の要素群（１４）が形成されている基材（２）の一方の面の反対側の面（以下、「他方の面」という。）に、有色インキにより第１の要素群（１１）が形成されている。図２（ａ）は、基材（２）の一方の面に第１の要素群（１１）と第２の要素群（１４）が形成されている状態を反射光下で確認した図であり、図２（ｂ）は、基材（２）の他方の面に第１の要素群（１１）が形成されており、基材（２）の一方の面に第２の要素群（１４）が形成されている状態を反射光下で確認した図である。図２（ａ）及び図２（ｂ）のいずれの状態においても、形成体（１）の潜像模様領域（３）を反射光下で確認すると、図２（ｃ）に示すように、一様な反射模様（４）を確認することができる。
【００３６】
また、図３（ａ）及び図３（ｂ）に示すように、透過光下で潜像模様領域（３）を確認すると、図３（ｃ）に示すように、透過潜像模様（５）を確認することができる。なお、透過潜像模様（５）は、模様部（６）（図２（ｄ）では、「Ａ」という文字）とその周りを構成している背景部（７）から成る。これらの各構成及び視認原理については後述する。また、図３（ａ）及び図３（ｂ）では、透過潜像模様（５）を確認するために、所定の光を照射しているが、特に光源を用いる必要はなく、太陽光に対して形成体（１）をかざし、透かした状態で視認することでも良い。これらの透過潜像模様（５）を確認する状態を、本発明では、透過光下で確認するという。なお、観察方向は限定されず、形成体（１）が観察者と光源との間にある状態をいう。
【００３７】
以下、透過潜像模様（５）を形成している潜像模様領域（３）の構成について説明する。
【００３８】
まず、形成体（１）は、図１に示すように、基材（２）上の少なくとも一部に潜像模様領域（３）を有しているが、この潜像模様領域（３）は、基材（２）を挟んで、表裏同じ箇所に設けられており、この表裏の同じ箇所を総称して潜像模様領域（３）という。この潜像模様領域（３）には、本発明における形成体（１）の透過潜像模様（５）を構成する要素が形成されている。
【００３９】
図４（ａ）は、基材（２）の潜像模様領域（３）に形成されている第１の要素（８）の構成の一例を模式的に示す図である。第１の要素（８）は、潜像模様領域（３）内において、万線状に配置されている。なお、反射光下で観察しても、図４（ａ）のような万線状に配列されている要素を確認することは非常に困難であり、実際には、図２（ｃ）に示す一様の反射模様（４）として確認される。なお、本発明において、「万線状」とは、複数の要素が規則的に所定のピッチで配列されている状態をいう。
【００４０】
また、図４（ｂ）は、基材（２）の潜像模様領域（３）に形成されている第２の要素（９）の構成を示す図である。第２の要素（９）についても、潜像模様領域（３）内において万線状に配置されている。
【００４１】
以下、それぞれの要素について詳細に説明することとするが、まず、第１の要素（８）について説明する。
【００４２】
（第１の要素）
第１の要素（８）は、異なる二色のインキにより形成されている。なお、二色のインキについては、一方のインキが基材（２）の色と同じ色であっても良い。ただし、反射光下で視認することができる反射模様（４）において、形成されている透過潜像模様（５）を、より一層視認し難くするために混色した一様の模様とするには、基材（２）と異なる二色のインキを用いることが好ましい。この第１の要素（８）を基材（２）上に形成する方法としては、オフセット印刷、凹版印刷、スクリーン印刷、グラビア印刷及びインクジェット印刷等の公知の印刷方式を用いることができる。以下、本実施の形態にいては、第１の要素（８）を形成する二色のインキは、基材（２）とは異なる色であることとして説明する。
【００４３】
また、万線状に配置されている複数の第１の要素（８）において、隣り合う二つの第１の要素（８）が対応して配置されている。この隣り合って対応して配置された二つの第１の要素（８）を、本発明では、第１の要素セット（１０）と呼ぶこととする。さらに、第１の要素セット（１０）が複数配置されて第１の要素群（１１）が形成されている。ここで、第１の要素セット（１０）を用いて更に詳しく説明する。
【００４４】
図４（ａ）に示した第１の要素群（１１）において、隣り合う二つの第１の要素（８）により構成されている複数の第１の要素セット（１０）のうち、一つの第１の要素セット（１０）を拡大したのが図５である。まず、第１の要素（８）は、前述のとおり、基材（２）の色とは異なる二色のインキにより形成されている。したがって、第１の要素（８）は、第１の色（１２）と第２の色（１３）により形成されている。この第１の色（１２）と第２の色（１３）については、一方が本発明の透過潜像模様（５）の模様部（６）を、他方が背景部（７）を構成するものである。なお、第１の色（１２）と第２の色（１３）とは異なった色となっている。
【００４５】
一つの第１の要素（８）は、前述のとおり、第１の色（１２）と第２の色（１３）の二色から構成されているが、この第１の要素（８）が二つ隣り合って配置された第１の要素セット（１０）は、第１ａの要素（８-１）と第１ｂの要素（８-２）において第１の色（１２）と第２の色（１３）が対応した配置となっている。ここで、「対応した配置」について説明する。図５のように、第１ａの要素（８-１）は、両側が第２の色（１３）、中央に第１の色（１２）となっているが、第１ｂの要素（８-２）は、両側が第１の色（１２）、中央に第２の色（１３）となっており、さらに、第１ａの要素（８-１）及び第１ｂの要素（８-２）において、第１の色（１２）と第２の色（１３）の色の境界は同じ位置となっている。このように、隣り合う第１ａの要素（８-１）及び第１ｂの要素（８-２）において、第１の色（１２）と第２の色（１３）の配置が逆となり、かつ、同じ位置に色の境界を有している状態を「対応して配置」という。
【００４６】
したがって、第１の要素セット（１０）は、第１の色（１２）と第２の色（１３）が対応して配置されている隣り合う第１ａの要素（８-１）及び第１ｂの要素（８-２）により構成されている。この第１の要素セット（１０）が複数配置されて第１の要素群（１１）を形成しているものである。
【００４７】
第１の要素セット（１０）は、前述のとおり、第１の色（１２）と第２の色（１３）が対応して配置されており、さらに、各要素の第１のピッチ（Ｐ１）が１００〜１０００μｍで、かつ、要素幅（Ｗ１）が５０〜５００μｍで形成されていることから、対応して配置された第１の要素セット（１０）は、肉眼では、二色が混色した状態で視認され、一つの第１の要素（８）内における色の境界を認識することができないこととなる。したがって、第１の要素セット（１０）が複数配置された第１の要素群（１１）は、反射光下において第１の色（１２）と第２の色（１３）が混色した状態での模様にしか見えないこととなる。
【００４８】
ここで、第１の要素（８）の形状について説明する。第１の要素（８）は、図６に示したように、色々な形状で形成することが可能である。例えば、図６（ａ）〜（ｃ）は画線であり、特に、図６（ａ）は直線、図６（ｂ）は破線、図６（ｃ）は波線となっている。また、図６（ｄ）は、複数の点の集合体である点群、図６（ｅ）は、複数の画素の集合体である画素群、さらに、図６（ｆ）は、複数の微小な文字の集合体である文字群である。
【００４９】
本発明において、第１の要素（８）は、万線状に配置されることとなるため、形状については、画線により形成することが好ましい。特に、図６（ａ）に示した直線により形成することが好ましい。仮に、図６（ｂ）に示した破線により形成する場合には、一つの線において、線と線との間隔を広くしてしまうと、透過潜像模様（５）自体が不鮮明な模様となってしまうため、形成する透過潜像模様（５）の形状及び再現性を考慮し、適宜設定する必要がある。
【００５０】
また、前述のとおり、第１の要素（８）は、万線状に配置されることとなるため、図６（ｄ）〜（ｆ）に示した点、画素及び微小な文字で形成する場合、それぞれを一つの画線上に複数配列させ、肉眼では、画線として視認することができるような配置とすることが必要となる。
【００５１】
例えば、図７においては、第１の要素（８）を複数の点の集合体である点群により形成した例を示している。この点は、高さ又は直径となるｈ１が、図５で示した第１の要素（８）の幅（Ｗ１）と同じこととなり、５０〜５００μｍの範囲となる。
【００５２】
また、各点同士の微小要素のピッチ（ｐ１）については、肉眼において一つの画線として視認可能な程度の間隔となるように、５０〜１０００μｍの範囲とする。
【００５３】
図６（ｆ）で示した微小な文字については、文字に限定されるものではなく、記号、数字、図形又はマーク等でも良い。さらに、点、画素又は文字等の群により画線状の要素を形成する場合には、図６（ｇ）に示すように、一つの要素内において色々な形状を配置しても良い。いずれにおいても、前述した高さ又は直径（ｈ１）及び微小要素のピッチ（ｐ１）の条件を満たしていれば、その形状は限定されない。本発明において、複数の点の集合体である点群、複数の画素の集合体である画素群、複数の微小な文字、記号、数字、図形又はマーク等の集合体について、総称して「微小要素群」という。したがって、図６（ｄ）〜図６（ｇ）までは、すべて微小要素群により第１の要素（８）が形成されているとなる。
【００５４】
一つの要素内おいて、複数の「微小要素群」で形成しても良いことを説明したが、図８（ａ）から（ｃ）に示すように、一つの要素内において複数の形状を成した画線により形成しても良い。当然、一つの要素内で画線と「微小要素群」により形成しても良い。
【００５５】
さらには、図８（ｄ）に示すように、第１の要素セット（１０）において、第１ａの要素（８-１）と第１ｂの要素（８-２）を異なる形状の要素で形成しても良く、図８（ｅ）に示すように、第１の要素群（１１）内において、それぞれの第１の要素（８）を異なる形状で形成しても良い。いずれにしても、第１の要素（８）については、一つの要素内及び第１の要素群における各々の要素において、図６で示した第１の要素（８）のどの形状で形成しても良い。
【００５６】
以降、本実施の形態では、第１の要素（８）を直線によって形成した例について説明する。
【００５７】
第１の要素群（１１）は、透過潜像模様（５）を構成する重要な要素となっており、第１の色（１２）又は第２の色（１３）は、透過潜像模様（５）を形成するように配置されている。
【００５８】
透過潜像模様（５）を形成するための第１の色（１２）と第２の色（１３）の配置の関係を図９により説明する。図９は、第１の要素群（１１）に形成されている透過潜像模様（５）を、解り易く説明するため、第１の要素セット（１０）を構成している第１ａの要素（８-１）と第１ｂの要素（８-２）ごとに分割して図９（ａ）と図９（ｂ）に示したものである。
【００５９】
本実施の形態では、透過潜像模様（５）は、前述のとおり、「Ａ」の文字となっている。そこで、「Ａ」の文字を形成するように、複数の第１の要素（８）を用いて、第１の色（１２）と第２の色（１３）を配置する。図９（ａ）では、第１ａの要素（８-１）を用いて透過潜像模様（５）を形成した例であり、「Ａ」を形成する模様部（５）を第１の色（１２）で形成し、背景部（６）を第２の色（１３）によって形成している。
【００６０】
また、第１の要素セット（１０）は、隣り合う第１ａの要素（８-１）及び第１ｂの要素（８-２）において、第１の色（１２）と第２の色（１３）が対応して配置されているため、第１の要素セット（１０）のうち、第１ｂの要素（８-２）を用いて透過潜像模様（５）を形成した例が図９（ｂ）であり、この場合の第１ｂの要素（８-２）における第１の色（１２）と第２の色（１３）の配置は、図９（ａ）に示した配置と逆に配置された状態となっている。したがって、「Ａ」の文字は、模様部（５）が第２の色（１３）で、背景部（６）が第１の色（１２）によって形成されている。
【００６１】
このように、形成体（１）に形成されている透過潜像模様（５）は、第１の要素セット（１０）によって、図９（ｃ）及び図９（ｄ）のようなネガポジの関係の模様を形成していることとなる。なお、図９（ｃ）と図９（ｄ）において、どちらがネガ状態で、どちらがポジ状態ということではなく、あくまでも、関係を理解し易く説明するために、ネガポジの関係という表現を用いているものであり、本質としては、一方を第１の色（１２）が模様部（６）で第２の色（１３）が背景部となり、他方を第１の色（１２）が背景部（７）で第２の色（１２）が模様部（６）としていることである。また、このネガポジの関係としている透過潜像模様（５）が、どのような状態で確認することができることとなるかは、後述する第２の要素（９）との配置関係によるものであるため、その原理等については後述する。
【００６２】
さらに、第１の要素セット（１０）については、隣り合う第１ａの要素（８-１）及び第１ｂの要素（８-２）において、第１の色（１２）と第２の色（１３）が対応して配置されていると説明したが、一つ一つの第１の要素セット（１０）においてだけ対応して配置されていれば良いものではない。図９を用いて説明したように、第１の要素群（１１）には、ネガポジの関係となるように第１の色（１２）と第２の色（１３）が配置される必要がある。したがって、複数配置されている第１の要素セット（１０）のすべてにおいて、ネガ状態の透過潜像模様（５）を形成するための配置と、ポジ状態の透過潜像模様（５）を形成するための配置が規則的に配置されなければならない。この規則的な配置について、以下に説明する。
【００６３】
図１０は、図４に示した本実施の形態で例示している第１の要素群（１１）に対して、複数の第１の要素セット（１０-１〜１０-６）の配置関係を説明するための図である。一つの第１の要素セット（１０）は、前述のとおり、第１の要素セット（１０）を構成している第１ａの要素（８-１）及び第１ｂの要素（８-２）において、第１の色（１２）と第２の色（１３）が対応して配置されている。さらに、第１の要素セット（１０-１〜１０-６）の一方の第１ａの要素（８-１）が、例えば、透過潜像模様（５）のネガ状態を形成し、もう一方の第１ｂの要素（８-２）が、ポジ状態を形成することとなるため、図１０（ａ）に示すように、ネガ状態の透過潜像模様（５）を形成するための第１ａの要素（８-１）と、ポジ状態の透過潜像模様（５）を形成するための第１ｂの要素（８-２）の配置は、すべて交互に配列されることとなる。
【００６４】
図１０（ａ）については、第１の要素群（１１）を用いて形成されている透過潜像模様（５）に対して、ネガポジの状態を説明するために、各々の第１の要素セット（１０-１〜１０-６）において、どのような位置関係で第１ａの要素（８-１）及び第１ｂの要素（８-２）が配置されているかを解り易くした図である。したがって、各第１の要素セット（１０-１〜１０-６）に対して、図９（ｃ）のように、第１の色（１２）が模様部（６）を構成するための配置となっている第１ａの要素（８-１）と、図９（ｄ）のように、第２の色（１３）が模様部（６）を構成するための配置となっている第１ｂの要素（８-２）とを、段差をつけて示している。
【００６５】
図１０（ａ）に示したように、対応して配置されている第１ａの要素（８-１）及び第１ｂの要素（８-２）は、第１の色（１２）により模様部（６）を形成する第１ａの要素（８-１）と、第２の色（１３）により模様部（６）を形成する第１ｂの要素（８-２）が、すべて交互に配置されていることがわかる。これは、図１０（ａ）において説明上示した段差が、一つの要素おきに存在していることから、規則的に配列されていることがわかる。したがって、本発明では、第１の要素セット（１０）では、第１ａの要素（８-１）及び第１ｂの要素（８-２）が対応して配置されていることと、更には複数の第１の要素セット（１０）において、第１の色（１２）により模様部（６）を形成する第１ａの要素（８-１）と、第２の色（１３）により模様部（６）を形成する第１ｂの要素（８-２）は、すべて交互に配置されることが好ましい。
【００６６】
例えば、図１０（ｂ）に示したように、各第１の要素セット（１０-１〜１０-６）において、第１ａの要素（８-１）及び第１ｂの要素（８-２）は対応して配置されてはいるものの、第１ａの要素（８-１）及び第１ｂの要素（８-２）が、すべて交互には配置されていない。これは、図１０（ｂ）において説明上示した段差が、図１０（ａ）の段差とは異なり、ランダムに存在していることから、規則的に均一な配列となっていないことがわかる。このような位置関係で配置されてしまうと、後述する第２の要素（９）との関係で、適切な透過潜像模様（５）を形成することができなくなってしまう。
【００６７】
以上のとおり、本発明において、第１の要素セット（１０）は、第１ａの要素（８-１）と第１ｂの要素（８-２）が対応した配置となっているだけではなく、第１の要素群（１１）としてみたときに、第１ａの要素（８-１）と第１ｂの要素（８-２）が、すべて交互に配列されていることが好ましい。このような関係を、規則的な配置という。
【００６８】
次に、第２の要素（９）について説明する。
【００６９】
（第２の要素）
第２の要素（９）は、前述した第１の要素（８）に対して、二通りの形成方法がある。一つは、第１の要素（８）が形成されている側とは反対側の基材（２）面に形成するものと、もう一つは、第１の要素（８）が形成されている側と同じ面に形成するものである。本発明では、前述したとおり、この第２の要素（９）が形成されている基材（２）の面を一方の面、第２の要素（９）が形成されていない基材（２）の面を他方の面とするため、第１の要素（８）は、基材（２）の潜像模様領域（３）において、一方の面又は他方の面のどちらに形成することでも良いこととなる。なお、基材（２）の一方の面の潜像模様領域（３）と、他方の面の潜像模様領域（３）は同じ位置である。
【００７０】
第２の要素（９）は、基材（２）よりも透過率が高くなるように形成されている。ここで、透過率が高いとは、不透明度が低いということであり、基材（２）よりも透過率が高いということは、基材（２）の不透明度が９０％より高いことから、第２の要素（９）は、不透明度が９０％以下であることを意味している。なお、基材（２）の不透明度が９０％よりも高い理由について、具体的な配置については後述するが、第１の要素セット（１０）のうち、一方の第１の要素（８）を隠ぺいする役目を担うからである。
【００７１】
逆に、第２の要素（９）の透過率を基材（２）よりも高くする理由は、第１の要素セット（１０）のうち、他方の第１の要素（８）を透過光下で視認可能とするためであり、そのために、基材（２）の不透明度が９０％より高いことに対して、第２の要素（９）は、不透明度を９０％以下とするものである。
【００７２】
この第２の要素（９）を不透明度９０％以下とする方法は、基材（２）が紙葉類であれば、例えば、用紙製造段階において、すき入れにより施すことでも良いし、公知のレーザ加工又はエンボス加工により施しても良い。また、透明材料を紙に印刷することにより第２の要素（９）を形成することでも良い。このような透明材料としては、ポリブタジエン、ポリイソプレン又はポリイソブチレン等の合成樹脂をインキ用溶剤と混合したものを用いることができる。基材（２）にフィルム又はプラスチックを用いる場合には、レーザ加工又はエンボス加工により第２の要素（９）を形成することができる。
【００７３】
不透明度が９０％以下で形成される第２の要素（９）は、図１１（ａ）に示すように、潜像模様領域（３）内に万線状に配置されており、第２の要素群（１４）を構成している。なお、基材（２）における潜像模様領域（３）内において、第２の要素群（１４）が形成されていない、所謂、基材（２）表面の部分を非要素部（１５）と定義する。
【００７４】
基材（２）が不透明度の低いフィルム又はプラスチックの場合には、非要素部（１５）を不透明度の高い印刷インキ等で形成し、第２の要素（９）を非要素部（１５）より不透明度の低いインキ又はインキ濃度で形成することができる。
【００７５】
この第２の要素（９）の要素幅（Ｗ２）については、５０〜５００μｍの範囲で形成し、第２の要素（９）の第２のピッチ（Ｐ２）については、１００〜１０００μｍの範囲で形成することが好ましい。この第２のピッチ（Ｐ２）は、第１の要素（８）における第１のピッチ（Ｐ１）の略２倍、所謂、第１の要素セット（１０）のピッチと略等しくなることが好ましく、第２の要素（９）の要素幅（Ｗ２）は、第１のピッチ（Ｐ１）よりも狭くなる。その理由については、透過光下において視認する透過潜像模様（５）の視認原理のところで詳細に説明する。
【００７６】
図１１（ａ）のＸ−Ｘ’における断面を示したのが、図１１（ｂ）であり、第２の要素（９）をすき入れ、レーザ加工又はエンボス加工により形成したものであり、基材（２）の表面に対して、第２の要素（９）が凹部となっており、その他の部分が非要素部（１５）となっている。したがって、凹部となっている第２の要素（９）が基材（２）よりも透過率が高くなっているものである。
【００７７】
第２の要素（９）の形状については、第１の要素（８）の形状と同様に、図６〜図８で示した種々の形状で形成することが可能であるが、重要なのは、第１の要素（８）が透過光下において視認可能となるように、透過率を基材（２）よりも高くすることであり、基材（２）よりも透過率を高くし、かつ、透過光下において第１の要素（８）を視認することができる形状であれば、特に限定されない。
【００７８】
（第１の要素と第２の要素の位置関係及び視認原理）
次に、第１の要素（８）と第２の要素（９）の位置関係及び視認原理について説明する。
【００７９】
第１の要素（８）は、基材（２）の一方の面に形成された第２の要素（９）の上か、又は第２の要素（９）が形成された一方の面と反対側の他方の面に形成される。前述したように、基材（２）両面の潜像模様領域（３）は、基材（２）を挟んで同じ位置となっているため、第１の要素（８）と第２の要素（９）を異なる面に形成する場合、第１の要素群（１１）と第２の要素群（１４）は、基材（２）を挟んで同じ位置に形成されていることとなる。
【００８０】
第２の要素（９）の第２のピッチ（Ｐ２）は、第１の要素（８）における第１のピッチ（Ｐ１）の略２倍であることから、第２の要素（９）は、第１の要素セット（１０）の一方の第１の要素（８）（例えば、第１ａの要素（８-１））と略等しいピッチとなっている。そこで、第２の要素（９）と第１の要素セット（１０）の一方の第１ａの要素（８-１）を同じ位置に配置する。その状態を示したのが図１２（ａ）である。図１２（ａ）は、第１の要素群（１１）と第２の要素群（１４）の位置関係を示した図であり、説明上、それぞれの配置を、基材（２）に対して水平方向にずらして図示している。
【００８１】
図１２（ａ）に示すように、第２の要素（９）と第１の要素セット（１０）の一方の第１ａの要素（８-１）を同じ位置となるように配置すると、第１の要素セット（１０）のもう一方の第１ｂの要素（８-２）は、第２の要素（９）同士の間となる非要素部（１５）に位置することとなる。図１２（ａ）では、第１ａの要素（８-１）が第２の要素（９）と同じ位置になっているが、逆に、第１ｂの要素（８-２）を第２の要素（９）と同じ位置としても良い。この場合には、第１ａの要素（８-１）が非要素部（１５）に位置することとなる。これらの関係が、前述したネガポジの関係を意味している。
【００８２】
図１２（ｂ）及び図１２（ｃ）は、第１の要素群（１１）と第２の要素群（１４）の基材（２）に対する位置関係を示す図である。前述したとり、第１の要素群（１１）は、基材（２）の一方の面に形成された第２の要素群（１４）に対して、二通りの形成方法があり、図１２（ｂ）は、第２の要素群（１４）の上に第１の要素群（１１）が形成された状態を示しており、図１２（ｃ）は、第２の要素群（１４）が形成されている基材（２）の一方の面に対して、他方の面に第１の要素群（１１）が形成されている状態を示している。
【００８３】
図１２（ｂ）及び図１２（ｃ）のどちらの形態でも、本発明における透過潜像模様（５）を形成することは可能である。なお、以下の説明では、図１２（ｃ）に示したように、第１の要素群（１１）と第２の要素群（１４）が基材（２）を挟んで両面に形成されていることとして説明する。
【００８４】
図１２（ａ）に示した状態において、第２の要素（９）が形成されている一方の面側から透過光下で視認した状態を模式的に示したのが図１３（ａ）であり、図１３（ａ）におけるＸ−Ｘ’断面図が図１３（ｂ）である。基材（２）が不透明度９０％より高く、第２の要素（９）が基材（２）よりも透過率が高い、所謂、不透明度９０％以下により形成されていることから、第２の要素（９）と同じ位置に配置されている第１の要素セット（１０）の一方の第１ａの要素（８-１）は、第１の要素（８）が形成されている面とは反対側から視認すると、基材（２）よりも透過率の高い第２の要素（９）を介して確認することができ、不透明度が９０％よりも高い基材（２）に位置する第１の要素セット（１０）のもう一方の第１ｂの要素（８-２）は、非要素部（１５）、所謂、基材（２）に隠ぺいされて視認し難くなる。
【００８５】
したがって、図１３（ａ）に示す配置の潜像模様領域（３）を一方の面側から透過光下で観察すると、第２の要素群（１４）を介して、図１３（ｃ）に示すように、第１の要素セット（１０）の一方の第１ａの要素（８-１）によって形成された模様部（６）が第１の色（１２）で、背景部（７）が第２の色（１３）の透過潜像模様（５）を確認することとができる。
【００８６】
ここで、前述した第２の要素（９）の要素幅（Ｗ２）が第１の要素（８）の第１のピッチ（Ｐ１）よりも狭くとる必要があることについて説明する。透過潜像模様（５）を形成するためには、第１の要素セット（１０）のうち、第１ａの要素（８-１）又は第１ｂの要素（８-２）のどちらか一方のみが第２の要素（９）と同じ位置に配置されることとなるため、仮に、第２の要素（９）の要素幅（Ｗ２）が第１の要素（８）の第１のピッチ（Ｐ１）よりも大きくなってしまうと、図１４に示すように、一つの第２の要素（９）に第１の要素セット（１０）である二つの第１の要素（８-１及び８-２）が位置することとなってしまい、所望する透過潜像模様（５）を鮮明に形成することができなくなってしまうからである。
【００８７】
また、第２の要素（９）の第２のピッチ（Ｐ２）は、第１の要素（８）の第１のピッチ（Ｐ２）の略２倍、所謂、第１の要素セット（１０）のピッチと略等しいことが好ましいと説明したところであるが、仮に、各ピッチが等しくない場合でも、複数配列されている第２の要素（９）に対して、第１ａの要素（８-１）又は第１ｂの要素（８-２）のどちらか一方が同じ位置となることから、若干透過潜像模様（５）の視認性は劣ることとなるが、グラデーションの係った色彩の透過潜像模様（５）を視認することができる。
【００８８】
図１３に示した第２の要素（９）と第１ａの要素（８-１）を同じ位置とした配置とは逆の配置として、第１ｂの要素（８-２）と第２の要素（９）とを同じ位置とした配置を図１５に示す。図１５（ａ）は、第２の要素（９）が形成されている側から透過光下で視認した際の図であり、図１５（ｂ）は、図１５（ａ）のＸ−Ｘ’断面図である。
【００８９】
図１５（ａ）に示すように、第２の要素（９）を介して第１ｂの要素（８-２）が視認されることから、模様部（６）が第２の色（１３）で背景部（７）が第１の色（１２）の透過潜像模様（５）を確認することができる。所謂、図１３で示した透過潜像模様（５）とネガポジの関係を成す透過潜像模様（５）となる。
【００９０】
第１の要素（８）の二色のインキを対応させて配置した第１の要素セット（１０）とする目的として、一つは前述したように、第１の要素群（１１）が形成されている側から反射光下で視認した際に、二色が混色した一様の反射模様（４）として視認され、透過潜像模様（５）を確認することができない状態とすることが挙げられるが、もう一つの目的として、第１の要素（８）と第２の要素（９）を同じ位置に配置することは、それぞれの要素幅（Ｗ１及びＷ２）が微細であることから、非常に緻密な精度を要することとなってしまう。そこで、第１の要素セット（１０）とすることで、印刷又は加工精度にアバレが生じたとしても、第１の要素セット（１０）のどちらかの第１の要素（８-１又は８-２）が第２の要素（９）と同じ位置となる。したがって、製造する際には、それほどの精度を求めなくとも、本発明における透過潜像模様（５）を形成することが可能となる。
【００９１】
また、第１の要素（８）と第２の要素（９）の配列方向を異ならせても良い。ここで、第１の要素（８）及び第２の要素（９）の配列方向について図１６を用いて説明する。
【００９２】
図１６（ａ）は、第１の要素（８）における配列方向となる第１の方向（Ｔ１）を示す図である。第１の方向（Ｔ１）は、第１の要素（８）の１点（Ｄ１）から隣り合う第１の要素（８）に対して垂直となる方向のことであり、その１点（Ｄ１）を通る垂線に対して隣り合う第１の要素（８）も垂直となる関係を有している。そのような第１の要素（８）の１点（Ｄ１）を通る垂線に対して、垂線と交差するすべての第１の要素（８）は、交差点において垂直となる関係を有している。この第１の要素（８）上の１点（Ｄ１）は、第１の要素（８）のどの箇所としても隣り合う第１の要素（８）との関係は、同じ関係となる。このような関係の配列が、本発明における万線状に配列されているものである。したがって、図１６（ａ）に示すような第１の要素群（１１）は、第１の要素（８）に対してどの位置に１点（Ｄ１）をとっても、第１の方向（Ｔ１）は同じ方向となる。
【００９３】
また、図１６（ｂ）は、第２の要素（９）における配列方向となる第２の方向（Ｔ２）を示す図であるが、第１の方向（Ｔ１）と同様、第２の要素（９）上の１点（Ｄ２）から隣り合う第２の要素（９）に対して垂直となる方向が第２の方向（Ｔ２）のことであり、その１点（Ｄ２）を通る第２の方向（Ｔ２）に対して第２の要素（９）は、万線状に配列されている。したがって、図１６（ｂ）に示すような第２の要素群（１４）は、第２の要素（９）に対してどの位置に１点（Ｄ２）をとっても、第２の方向（Ｔ２）は同じ方向となる。
【００９４】
なお、第１の要素（８）上における１点（Ｄ１）と、第２の要素（９）上における１点（Ｄ２）は、「対応した位置」とする。今まで説明してきた第１の要素群（１１）及び第２の要素群（１４）については、この第１の方向（Ｔ１）と第２の方向（Ｔ２）が同じであるため、この第１の要素（８）上における１点（Ｄ１）と第２の要素（９）上の１点（Ｄ２）は、同じところに位置するものである。
【００９５】
図１６（ｃ）は、第１の要素群（１１）と第２の要素群（１４）を重ねて配置した状態を示しているが、図のように、第１の要素（８）上における１点（Ｄ１）と第２の要素（９）上の１点（Ｄ２）は、同じところに位置している。このように、第１の方向（Ｔ１）と第２の方向（Ｔ２）は、第１の要素（８）上の１点（Ｄ１）と、第２の要素（９）上の１点（Ｄ２）が「対応した位置」において、必ず垂直となる関係を有するように万線状に配列される方向である。
【００９６】
ここで、第１の方向（Ｔ１）と第２の方向（Ｔ２）を異ならせる例について図１７を用いて説明する。図１７（ａ）は、第２の要素（９）に対して第１の要素（８）の配列方向を若干異ならせて配置した図であり、その一部を点線にて円囲みしたところの拡大図が図１７（ｂ）である。図１７（ｂ）の拡大図に示すように、第１の方向（Ｔ１）と第２の方向（Ｔ２）は異なる角度（α）を有して配置されている。
【００９７】
図１７のように、第１の方向（Ｔ１）と第２の方向（Ｔ２）が異なる場合における第１の要素（８）上の１点（Ｄ１）と、第２の要素（９）上の１点（Ｄ２）が「対応した位置」とは、仮に第１の方向（Ｔ１）と第２の方向（Ｔ２）を等しくした場合に、図１６（ｃ）のように同じ位置となる関係を有する状態をいう。
【００９８】
第１の方向（Ｔ１）と第２の方向（Ｔ２）の異なる角度（α）については、０から±５°以下の範囲とする。±５°以上の角度とすると、第２の要素（９）を介して視認することができる第１の要素（８）により形成された透過潜像模様（５）が、所望する模様とならなくなってしまうからである。
【００９９】
このように、第１の要素（８）の配列方向である第１の方向（Ｔ１）と、第２の要素（９）の配列方向である第２の方向（Ｔ２）を若干異ならせると、透過潜像模様（５）がグラデーションが掛かったように視認される。
【０１００】
（変形例）
これまで説明した第１の要素（８）及び第２の要素（９）については、すべて直線状で、かつ、平行に配列された万線状の形態であったが、本発明は、これに限定されるものではなく、図１８に示したような配列とすることも可能である。図１８（ａ）は、第１の要素（８）が中央から外側に向かって多角形を形成するように配列されている。このような第１の要素（８）の配列についても、複数の要素が規則的に所定のピッチで配列されている状態であるため、本発明でいう「万線状」に配置されていることとなる。
【０１０１】
ここで、第１の要素（８）について再度説明するが、前述したように、第１の要素（８）は、必ず第１の色（１２）及び第２の色（１３）によって構成されている。これまで説明してきたような第１の要素（８）の形状（例えば、図４（ａ））は、直線であったため、一つずつの第１の要素（８）を確定することは容易であったが、図１８に示すような形状では、どこまでが一つの第１の要素（８）であるかの誤解を招くこともある。図１８のような形状の場合、一つの多角形（図１８では八角形）の形状を成した画線が一つの第１の要素（８）であり、多角形における一つ一つの辺を構成している画線を一つの第１の要素（８）とするものではない。
【０１０２】
したがって、図１８（ａ）においても、八角形の第１の要素（８）が万線状に配列されており、さらに、第１の要素セット（１０）の関係を成して配列されている。図１８（ａ）においても、模様部（６）は「Ａ」を形成しており、その周囲に背景部（７）を形成するように配置されている。なお、第１の要素セット（１０）において、一方の第１ａの要素（８-１）では、第２の色（１３）が模様部を形成し、他方の第１ｂの要素（８-２）では、第１の色（１２）が背景部を形成している。
【０１０３】
図１８（ｂ）は、図１８（ａ）に対して形成される第２の要素（９）が万線状に配列された第２の要素群（１４）を示している。第２の要素（９）も、第１の要素セット（１０）における一方の第１ａの要素（８-１）を透過光下において視認させ、他方の第１ｂの要素（８-２）を隠ぺいするため、第１の要素（８）と同じ多角形を形成するように配列されている。
【０１０４】
この第１の要素群（１１）と第２の要素群（１４）を図１８（ｃ）のように配置し、潜像模様領域（３）を透過光下で視認すると、図１８（ｄ）に示したような透過潜像模様（５）を確認することができる。
【０１０５】
本発明における第１の要素群（１１）及び第２の要素群（１４）は、各々を構成している各要素が、図１６に示したように、すべて直線で、かつ、平行に配列されていても良いことはいうまでもないが、図１８を用いて説明したように、八角形のような多角形で形成しても良く、更には円又は楕円の形状としても良い。ただし、第１の要素群（１１）の形状と第２の要素群（１４）の形状は同一形状とする。
【０１０６】
なお、図１８で示したような第１の要素（８）及び第２の要素（９）の配列の場合における第１の方向（Ｔ１）及び第２の方向（Ｔ２）について、図１９を用いて説明する。前述したように、第１の方向（Ｔ１）及び第２の方向（Ｔ２）については、一つの要素上の１点（Ｄ１）に対して垂直となる方向を示すものであるため、図１８（ａ）のような多角形状に配列されている場合、仮に、基材（２）の長辺方向に対して水平に配置されている第１の要素（８）を基準とし、図１９（ａ）に示した第１の要素（８）の１点（Ｄ１）を通る垂直の方向が第１の方向（Ｔ１）となる。したがって、第１の要素（８）の１点（Ｄ１）を通る垂線に対して、その垂線と交点を有するすべての第１の要素（８）は、交差点において垂直の関係を有している。
【０１０７】
また、基材（２）の長辺方向に対して４５°の角度で配置されている第１の要素（８）を基準とした場合、その第１の要素（８）上の１点（Ｄ’１）を通る垂直の方向が第１の方向（Ｔ’１）となる。したがって、第１の要素（８）の１点（Ｄ’１）を通る垂線に対して、その垂線と交点を有するすべての第１の要素（８）は、交差点において垂直の関係を有している。
【０１０８】
図１９（ａ）に示したそれぞれの第１の方向（Ｔ１又はＴ’１）に対して、第２の要素（９）の異なる角度は、図１９（ｂ）に示した第２の方向（Ｔ２又はＴ’２）となる。この第２の方向（Ｔ２又はＴ’２）についても、方向を決定するために基準とする第２の要素（９）上の１点（Ｄ２又はＤ’２）を通る垂直の方向が第２の方向（Ｔ２又はＴ’２）となる。いずれの第２の方向（Ｔ２及びＴ’２）についても、第１の方向（Ｔ１及びＴ’１）に対する角度とは、図１９（ｃ）に示したような第１の方向（Ｔ１）に対して第２の方向（Ｔ２）となり、また、図１９（ｄ）に示したような第１の方向（Ｔ’１）に対して第２の方向（Ｔ’２）となり、異なる角度は、いずれも（α）ということになる。
【０１０９】
以上のとおり、第１の要素（８）及び第２の要素（９）は、万線状に規則的に配置されているため、どこの要素の１点を基準としても、対応した位置にある第１の要素（８）と第２の要素（９）の１点（Ｄ１及びＤ２）に対しては、第１の要素（８）と第２の要素（９）との配置角度の関係は、同じ角度を有することとなる。
【０１１０】
このような多角形状に配置された第１の要素群（１１）と第２の要素群（１４）との異なる角度（α）についても、前述したように、０から±５°以下の範囲とすることが好ましい。
【０１１１】
第１の要素（８）と第２の要素（９）の印刷又は加工等の順番については、第２の要素（９）をすき入れで形成する場合、先に用紙製造段階において第２の要素（９）をすき入れにより形成し、その後、印刷により第１の要素（８）を形成することとなる。また、第２の要素をレーザ加工又はエンボス加工により形成する場合には、先に第２の要素（９）を形成しても、第１の要素（８）を印刷した後に第２の要素（９）を形成しても、どちらでも良い。
【０１１２】
以下、本発明における形成体（１）について、実施例を用いて詳細に説明するが、以下の実施例に限定されることはなく、特許請求の範囲に記載された技術的な範疇であれば、適宜、変更が可能なことはいうまでもない。
【実施例１】
【０１１３】
実施例１では、基材（２）を紙、第１の要素群（１１）をオフセット印刷方式により印刷し、さらに、第２の要素群（１４）をすき入れにより形成した形成体（１）を作製した。実施例１の形成体（１）について、実施の形態で説明した図面を用いて説明する。
【０１１４】
実施例１の形成体（１）（具体的には商品券）は、図１に示すように、基材（２）の一部の潜像模様領域（３）に、図４（ｂ）に示した、すき入れにより形成した第２の要素群（１４）と、この第２の要素群（１４）とは反対側の基材（２）面に、オフセット印刷方式により、二色のインキを用いて印刷した第１の要素群（１１）が形成されており、その他の領域には、商品名、１０００円の料額文字及び彩紋模様がオフセット印刷方式により形成されている。
【０１１５】
図１に示す基材（２）は、坪量が８５ｇ／ｍ２、紙厚が８７μｍ（デジタルリニアゲージ  ＤＧ−９２５  小野測器製）、不透明度が９２％（ＪＩＳ−Ｐ８１４９）の褐色の紙材を用いた。
【０１１６】
基材（２）の一部の潜像模様領域（３）には、図４（ｂ）に示す第２の要素（９）が万線状に配列されている。この第２の要素（９）は、要素幅（Ｗ２）を２５０μｍの直線で構成した。そして、第２のピッチ（Ｐ２）を５００μｍとし、第２の要素（９）を第２の方向（Ｔ２）に規則的に複数配列して第２の要素群（１４）を形成した。なお、第２の要素群（１４）の形成方法は、基材（２）の一方の面側から円網抄紙機により透かし模様として形成した。この方法により形成された第２の要素（９）の不透明度は、５２％（ＪＩＳ−Ｐ８１４９）であった。また、第２の要素（９）の部位の紙厚は、４０μｍ（デジタルリニアゲージ  ＤＧ−９２５  小野測器製）であった。
【０１１７】
基材（２）の他方の面の潜像模様領域（３）には、図４（ａ）で示す第１の要素群（１１）を形成した。この第１の要素群（１１）は、第１ａの要素（８−１）と第１ｂの要素（８−２）で構成した第１の要素セット（１０）を複数配列して形成した。
【０１１８】
第１ａの要素（８−１）と第１ｂの要素（８−２）は、要素幅（Ｗ１）が等しく、２００μｍの直線で構成した。そして、第１のピッチ（Ｐ１）を２５０μｍとし、第１ａの要素（８−１）及び第１ｂの要素（８−２）を第１の方向（Ｔ１）に規則的に複数配列して第１の要素群（１１）を形成した。したがって、第１の要素セット（１０）のピッチは、５００μｍとなり、第２のピッチ（Ｐ２）と等しくなっている。また、第１の方向（Ｔ１）と第２の方向（Ｔ２）は等しい方向である。
【０１１９】
第１ａの要素（８−１）は、模様部（６）を第１の色（１２）として、紫色のオフセットインキ（Ｔ＆Ｋ  ＴＯＫＡ製  ＢＯ特練ＰＡＮＴＯＮＥ紫）を用い、背景部（７）を第２の色（１３）として、緑色のオフセットインキ（Ｔ＆Ｋ  ＴＯＫＡ製  ＢＯ特練ＰＡＮＴＯＮＥ緑）を用い、オフセット印刷機（下垣鉄工所製  ＥＰ−６０）により印刷した。
【０１２０】
また、第１ｂの要素（８−２）は、第１ａの要素（８−１）と対応した配置とするため、同じ第１の色（１２）及び第２の色（１３）のインキを用いて、模様部（６）を第２の色（１３）で、背景部（７）を第１の色（１２）で構成した。
【０１２１】
以上の構成による第１の要素群（１１）を、第２の要素群（１４）と基材（２）を挟んで同じ位置の潜像模様領域（３）に印刷する際に、図１２に示すような第２の要素（９）と同じ位置に第１ａの要素（８−１）が配置されるようにした。このような配置とすることで、第２のピッチ（Ｐ２）と第１の要素セット（１０）のピッチが等しいことから、第１ｂの要素（８−２）は非要素部（１５）と同じ位置となる。
【０１２２】
このようにして作製した実施例１の形成体（１）である商品券を、第１の要素群（１１）が形成されている一方の面側から反射光下において観察すると、図２（ｃ）に示すような、第１の色（１２）の紫色と第２の色（１３）の緑色が混色した灰色の反射模様（４）として確認でき、透過光下において観察すると、第２の要素（９）を介して、第１ａの要素（８−１）により形成された紫色の「Ａ」という模様部（６）と緑色の背景部（７）から成る図３（ｃ）に示すような透過潜像模様（５）を確認することができた。
【実施例２】
【０１２３】
実施例２は、実施例１に対して異なる点のみを説明する。実施例２では、第２の要素（９）をレーザ加工により形成し、第１の要素（８）の配列方向である第１の方向（Ｔ１）と、第２の要素（９）の配列方向である第２の方向（Ｔ２）を異なる角度を有するように配置して構成されている形成体（１）である。
【０１２４】
まず、基材（２）の一方の面の潜像模様領域（３）に、レーザ加工器（レーザマーカ  ＭＤ−Ｖ  キーエンス製）を用いて、第２の要素（９）を直線で第２の方向（Ｔ２）に複数配列して第２の要素群（１４）を形成した。なお、第２の要素（９）の要素幅（Ｗ２）及び第２のピッチ（Ｐ２）は実施例１と同じである。
【０１２５】
次に、基材（２）の他方の面の潜像模様領域（３）に、実施例１と同じ第１の要素群（１１）をオフセット印刷方式により印刷した。なお、第１の色（１２）は、藍色のオフセットインキ（Ｔ＆Ｋ  ＴＯＫＡ製  ベストキュア  藍）を用い、第２の色（１３）は、紅色のオフセットインキ（Ｔ＆Ｋ  ＴＯＫＡ製  ベストキュア  紅）を用いて、オフセット印刷機（下垣鉄工所製  ＥＰ−６０）により印刷した。
【０１２６】
また、第１ａの要素（８−１）及び第１ｂの要素（８−２）については、図７に示すような点による微小要素群により形成し、点の直径（ｈ１）、所謂、要素幅（Ｗ１）は、２００μｍとし、各点同士のピッチ（ｐ１）は２５０μｍの一定のピッチとして形成した。
【０１２７】
第２の要素群（１４）の配列方向である第２の方向（Ｔ２）は、基材（２）の長辺方向と垂直となる方向とし、第１の要素群（１１）の配列方向である第１の方向（Ｔ１）は、その第２の方向（Ｔ２）に対して２°傾けた方向とした。なお、この第１の方向（Ｔ１）は、図１７（ｂ）に示す方向であり、異なる角度（α）が２°の状態である。このように第１の要素群（１１）と第２の要素群（１４）の角度を異ならせて配置した模式図が図１７（ａ）である。
【０１２８】
このようにして作製した実施例２の形成体（１）である商品券を、第１の要素群（１１）が形成されている一方の面側から反射光下において観察すると、図２０（ａ）に示すような、第１の色（１２）の藍色と第２の色（１３）の紅色が混色した紫色の反射模様（４）として確認することができ、透過光下において観察すると、第２の要素（９）を介して、第１ａの要素（８−１）及び第１ｂの要素（８−２）により形成された「Ａ」という模様部（６）と背景部（７）から成る透過潜像模様（５）が、図２０（ｂ）に示すような、第１の色（１２）の藍色と第２の色（１３）の紅色のグラデーションとして確認することができた。
【実施例３】
【０１２９】
実施例３は、実施例１に対して異なる点のみを説明する。実施例３では、第１の要素群（１１）及び第２の要素群（１４）の形状を、図２１に示す楕円形状とした。また、第２の要素（９）は、印刷インキ（帝国インキ製  ユニマークインキ）を使用してオフセット印刷方式により基材（２）に印刷して形成体（１）を作製した。
【０１３０】
第２の要素（９）の不透明度は、５０％（ＪＩＳ−Ｐ８１４９）であった。
【０１３１】
なお、図２１においては、第１ａの要素（８−１）及び第１ｂの要素（８−２）がそれぞれ四つずつ、第２の要素（９）がそれぞれ四つずつ、万線状に配列されているが、これは模式的に示唆しているだけであり、実際には、もっと多数の各要素が配列されているものである。
【０１３２】
図２１（ａ）に示す第１の要素群（１１）と、図２１（ｂ）に示す第２の要素群（１４）を、第１ａの要素（８−１）と第２の要素（９）が同じ位置となるように配置した状態が図２１（ｃ）である。
【０１３３】
このようにして作製した実施例３の形成体（１）である商品券を、第１の要素群（１１）が形成されている一方の面側から反射光下において観察すると、図２２（ａ）に示すような、第１の色（１２）の紫色と第２の色（１３）の緑色が混色した灰色の一様な反射模様（４）として確認することができ、透過光下において観察すると、第２の要素（９）を介して、第１ａの要素（８−１）により形成された紫色の「Ｙ」という模様部（６）と緑色の背景部（７）から成る、図２２（ｂ）に示すような透過潜像模様（５）を確認することができた。
【符号の説明】
【０１３４】
１          透過潜像模様形成体
２          基材
３          潜像模様領域
４          反射模様
５          透過潜像模様
６          模様部
７          背景部
８          第１の要素
８-１          第１ａの要素
８-２          第１ｂの要素
９          第２の要素
１０、１０-１、１０-２、１０-３、１０-４、１０-５、１０-６          第１の要素セット
１１          第１の要素群
１２          第１の色
１３          第２の色
１４          第２の要素群
１５          非要素部
Ｔ１、Ｔ’１          第１の方向
Ｔ２、Ｔ’２          第２の方向
Ｐ１          第１のピッチ
Ｐ２          第２のピッチ
ｐ１          微小要素のピッチ
Ｗ１          第１の要素の要素幅
Ｗ２          第２の要素の要素幅
Ｄ１、Ｄ’１          第１の方向を決定するための第１の要素における１点
Ｄ２、Ｄ’２          第２の方向を決定するための第２の要素における１点
α          第１の方向と第２の方向の角度差
【図１】
0005358857.tif 000002
【図２】
0005358857.tif 000003
【図３】
0005358857.tif 000004
【図４】
0005358857.tif 000005
【図５】
0005358857.tif 000006
【図６】
0005358857.tif 000007
【図７】
0005358857.tif 000008
【図８】
0005358857.tif 000009
【図９】
0005358857.tif 000010
【図１０】
0005358857.tif 000011
【図１１】
0005358857.tif 000012
【図１２】
0005358857.tif 000013
【図１３】
0005358857.tif 000014
【図１４】
0005358857.tif 000015
【図１５】
0005358857.tif 000016
【図１６】
0005358857.tif 000017
【図１７】
0005358857.tif 000018
【図１８】
0005358857.tif 000019
【図１９】
0005358857.tif 000020
【図２０】
0005358857.tif 000021
【図２１】
0005358857.tif 000022
【図２２】
0005358857.tif 000023